(57)【特許請求の範囲】
【請求項１】
版台上に所定枚数積み重ねた感光性平版印刷版の外周を遮光性包体で包装して、該遮光性包体を前記版台に貼着し、
前記遮光包体の外周に段ボールを配置して外装すると共に、該段ボールの外周の辺部の中央部に相当する位置に前記積み重ねた感光性平版印刷版の厚み方向に沿って補強部材を設け、
該補強部材を含む前記段ボールの外周を、伸縮性を有するフイルムを伸長した状態で所定数巻回することにより、該フイルムの復元力で前記感光性平版印刷版を締め付け固定したことを特徴とする感光性平版印刷版の包装方法。
【請求項２】
版台上に所定枚数積み重ねた感光性平版印刷版の外周を遮光性包体で包装して、該遮光性包体を前記版台に貼着し、
前記遮光包体の外周に段ボールを配置して外装すると共に、該段ボールの外周の辺部の中央部に相当する位置に前記積み重ねた感光性平版印刷版の厚み方向に沿って補強部材を設け、
該補強部材を含む前記段ボールの外周を、熱収縮性のフイルムで所定数巻回して、該フイルムを熱収縮させることにより前記感光性平版印刷版を締め付け固定したことを特徴とする感光性平版印刷版の包装方法。
【請求項３】
前記版台上に積み重ねた前記感光性平版印刷版の外周に、板状の緩衝部材を配置したのち、該緩衝部材を含む感光性平版印刷版の外周を前記遮光性包体で包装するようにしたことを特徴とする請求項１、又は２記載の感光性平版印刷版の包装方法。
【発明の詳細な説明】
【０００１】
【発明の属する技術分野】
本発明は感光性平版印刷版の包装方法に関し、特に積み重ねた多数枚の感光性平版印刷版を輸送及び保管するための感光性平版印刷版の包装方法に関する。
【０００２】
【従来の技術】
新聞輪転機等に使用される感光性平版印刷版〔以下、ＰＳ版（Pre-Sensitized Plate〕と称する〕は、アルミニウム板等よりなる支持体の面上に感光性樹脂層を形成したものであり、多数枚（２００〜１５００枚）が版台上に積み重ねられた状態で包装され、この状態で輸送及び保管される。
【０００３】
従来、ＰＳ版の包装方法として、実公昭６２−６０３５号公報（以下、「従来技術Ａ」と略称する）、実公平７−９１５６号公報（以下、「従来技術Ｂ」と略称する）、特開平６−１０００６４号公報（以下、「従来技術Ｃ」と略称する）、及び特開平５−１００３６７号公報（以下、「従来技術Ｄ」と略称する）に開示されたものがある。
【０００４】
従来技術Ａの包装方法は、多数枚のＰＳ版３を版台２と天板４との間で挟み、そして、ボルト５とナット８で天板４を版台２に締め付けることにより、ＰＳ版３を厚み方向に固定するものである。
従来技術Ｂの包装方法は、多数枚のＰＳ版１０を版台２４上に積み重ねたのち、紐１２で縛ってＰＳ版１０を厚み方向に固定するものである。
【０００５】
従来技術Ｃの包装方法は、多数枚のＰＳ版１０４を版台１０５上に積み重ねたのち、耐湿性を有するフイルムでＰＳ版１０４を横方向に密着包装し、さらに段ボール等の遮光性を有する包体で包装するものである。
従来技術Ｄの図１に示された包装方法は、ＰＳ版１を版台上に積み重ねたのち、遮光性と防湿性及び結束性を兼ね備えたストレッチフイルム９でＰＳ版１を面方向に固定するものである。また、図２に示された包装方法は、ＰＳ版１を底板５上に載置すると共に背板６に立てかけ、そして、ＰＳ版を背板６と天板１１とで挟んだ状態で、前記ストレッチフイルム９で包装するものである。
【０００６】
【発明が解決しようとする課題】
しかしながら、従来技術Ａ、Ｂの包装方法は、ＰＳ版を厚み方向に固定するため、ＰＳ版が相互に密着してしまい、ＰＳ版を自動製版器（富士写真フイルム（株）製、ＦＮＲ４０１、４０２等）にかけて一枚毎分離供給する際に、ＰＳ版が剥がれなくなるという問題が発生する。
【０００７】
このような不具合は、従来技術Ｃ、Ｄで示したようにＰＳ版を面方向に固定することで解消することができる。しかしながら、従来技術Ｃ、Ｄの包装方法は、ＰＳ版を面方向に固定したにもかかわらず、輸送中の振動や衝撃によってＰＳ版が簡単にズレてしまうという欠点がある。このような不具合は、フイルムの締め付け力を上げれば解消できるが、従来の包装方法では、その締め付け力がＰＳ版の角部のみに集中してしまうので、締め付け力を効率良くＰＳ版に加えることができないという欠点がある。
【０００８】
本発明は、このような事情に鑑みてなされたもので、フイルムの締め付け力を感光性平版印刷版に効率よく加えることにより、積み重ねられた感光性平版印刷版のズレを防止することができる感光性平版印刷版の包装方法を提供することを目的とする。
【０００９】
【課題を解決する為の手段】
本発明は、前記目的を達成する為に、本発明は、前記目的を達成する為に、版台上に所定枚数積み重ねた感光性平版印刷版の外周を遮光性包体で包装して該遮光性包体を前記版台に貼着し、前記遮光包体の外周に段ボールを配置して外装すると共に、該段ボールの外周の辺部の中央部に相当する位置に前記積み重ねた感光性平版印刷版の厚み方向に沿って補強部材を設け、該補強部材を含む前記段ボールの外周を、伸縮性を有するフイルムを伸長した状態で所定数巻回することにより、該フイルムの復元力で前記感光性平版印刷版を締め付け固定したことを特徴とする。
【００１０】
本発明によれば、フイルムの復元力で発生する締め付け力は、従来と同様に感光性平版印刷版の角部で発生するほか、段ボールの外周に設けた補強部材からも発生する。したがって、本発明は、補強部材を設けることで、感光性平版印刷版に加えるフイルムの締め付け力を増強させることができる。よって、本発明は、フイルムの締め付け力を感光性平版印刷版に効率よく加えることができるので、積み重ねられた感光性平版印刷版のズレを防止することができる。
【００１１】
感光性平版印刷版に加えるフイルムの締め付けは、伸縮性を有したフイルムによる復元力のほか、請求項２に示すように、熱収縮性のフイルムによる熱収縮で発生する収縮力を適用しても良い。
一方、請求項３に示すように、感光性平版印刷版の外周に緩衝部材を配置し、この状態で感光性平版印刷版を遮光性包体で包装すれば、感光性平版印刷版にズレようとする力が加わっても、その力は前記緩衝部材で緩衝される。従って、本発明は、感光性平版印刷版のズレを確実に防止することができる。
【００１２】
【発明の実施の形態】
以下添付図面に従って本発明に係る感光性平版印刷版の包装方法の好ましい実施の形態について詳説する。
図１は、本発明の感光性平版印刷版の包装方法で包装された積層ＰＳ版包装体の縦断面図であり、図２は横断面図である。以下、積層ＰＳ版の包装方法を図１〜図７を参照しながら説明する。
【００１３】
図１、図３に示すように、ＰＳ版１０は、架台１２（図１参照）に設置された版台１４上に多数枚積み重ねられた状態で載置されている。積み重ねられた積層ＰＳ版１６の外周には、緩衝部材である段ボール１８、１８…が配置されている。この段ボール１８、１８…は、版台１４と積層ＰＳ版１６との間に段を生じさせないために、及び積層ＰＳ版１６にズレ方向の力が加わった時にその力を緩衝するために設けられている。本実施の形態では、段ボール１８を積層ＰＳ版１６の外周４面のうち２面に設けたが、全面に設けることがより効果的である。緩衝部材としては、段ボール１８に限らず、板紙、成形紙パルプ、ペーパーハニカム、ポリエチレンフォーム、ポリスチレンフォーム、ウレタンフォーム、又はエアキャップを適用できる。
【００１４】
前記段ボール１８の外周を含む積層ＰＳ版１６は、図４に示すように遮光性包体であるクラフト紙２０によって包装される。このクラフト紙２０は、積層ＰＳ版１６を包装したのち、接着テープ２２によって互いに貼着されると共に版台１４に貼着される。遮光性包体としては、クラフト紙２０に限らず、クラフト紙とポリエチレン（ＰＥ）との複層体、クラフト紙とポリエチレン（ＰＥ）とアルミ箔との複層体等の各種プラスチックフイルムを適用できる。
【００１５】
前記クラフト紙２０の外周の全周には、図５に示すように段ボール２４が配置される。この段ボール２４は、遮光性を兼備する外装用の段ボールであり、両面段ボール（JIS 規格：K280-SPC125-K280）が用いられている。
前記段ボール２４の外周には、補強部材である強化段ボール（又は同等の性能を有する物）２６、２６…が配置される。これらの強化段ボール２６、２６…は、ＰＳ版１０の４辺の中央部に相当する位置に積層ＰＳ版１６の厚み方向に沿って設けられている。前記強化段ボール２６は、積層ＰＳ版１６を横方向に締め付けるための補強用の段ボールであり、前記両面段ボールよりも強度の強い、複両面段ボール（JIS 規格：K280-SPC125-SPC280-SPC125-K280）が用いられている。
【００１６】
前記強化段ボール２６、２６…を含む段ボール２４の外周には、図６に示すように伸縮性を有するストレッチフイルム２８が、積層ＰＳ版１６の外周方向に複数回（本実施の形態では８回）巻回されている。このストレッチフイルム２８によって、積層ＰＳ版１６が面方向に締め付けられて固定される。ストレッチフイルム２８としては、低密度ポリエチレン（ＬＤＰＥ）、直鎖状ポリエチレン（ＬＬＤＰＥ）、エチレン酢酸ビニル共重合体（ＥＶＡ）等の単層フイルム、又はこれらの組み合わせた多層フイルムを適用することができ、その厚みは１５〜５０μで、１２０〜２００％伸長できるものが好適である。
【００１７】
前記ストレッチフイルム２８は、１２０〜２００％伸長させて巻回する。この時にストレッチフイルム２８が縮もうとする復元力によって、積層ＰＳ版１６が面方向に締め付けられる。これによって、積層ＰＳ版１６が固定される。
なお、ストレッチフイルム２８の代わりに熱収縮性のフイルムを使用した場合には、低密度ポリエチレン（ＬＤＰＥ）、ポリプロピレン（ＰＰ）、エチレン酢酸ビニル共重合体（ＥＶＡ）等の単層フイルム、又はこれらの組み合わせた多層フイルムを適用することができ、その厚みは１００〜２００μのものが好適である。
【００１８】
図７において、前記ストレッチフイルム２８で巻回された積層ＰＳ版１６は、上蓋３０によって上面開口部３２が遮蔽される。この上蓋３０は、クラフト粘着テープ３４、３４によってストレッチフイルム２８に固定される。符号３６は、上蓋に貼られた結露防止注意ラベルである。
このように包装された積層ＰＳ版１６包装体において、ストレッチフイルム２８の復元力（図８中矢印Ａで示すストレッチフイルム２８が縮もうとする力）で発生する締め付け力は、図中矢印Ｂで示すように積層ＰＳ版１６の角部で発生するほか、段ボール２４の外周に設けた強化段ボール２６からも図中矢印Ｃで示すように発生する。
【００１９】
したがって、本実施の形態による包装方法は、強化段ボール２６を設けることで、積層ＰＳ版１６に加えるストレッチフイルム２８の締め付け力を増強することができる。よって、本実施の形態は、ストレッチフイルム２８の締め付け力を積層ＰＳ版１６に効率良く加えることができ、よって積み重ねられた感光性平版印刷版のズレを防止することができる。
【００２０】
一方、本実施の形態では、図３に示したように、積層ＰＳ版１６の外周に緩衝部材である段ボール１８を配置しているので、積層ＰＳ版１６に図９中矢印Ｄで示すズレようとする力が加わっても、その力は段ボール１８で緩衝される。従って、本実施の形態の包装方法は、積層ＰＳ版１６のズレを確実に防止することができる。
【００２１】
〔実験例１〕
輸送中での振動、衝撃による積層ＰＳ版のズレ量の確認を、傾斜衝撃試験（JIS Ｚ０２０５）で実施した。ズレ量は、版台のエッジから最もズレたＰＳ版のエッジまでのズレ量とした。
比較例：積層ＰＳ版を版台と天板とで挟み、ボルト４本で積層ＰＳ版を厚み方向に固定したもの（従来技術Ａに相当するもの）を用意した。なお、この時のナットの締め付けトルクは、５０kgfcm に設定した。
【００２２】
本案：ストレッチフイルムを伸び率４０％で１０回巻回したものを用意した。実験結果は、比較例では１０ｍｍであるのに対し、本案は３ｍｍであった。したがって、本案では、輸送中での振動、衝撃による積層ＰＳ版のズレを抑えることができる。
〔実験例２〕
自動製版器にかけた時の分離不良トラブル発生率を、富士写真フイルム（株）製の自動製版器（ＦＮＲ４０１）で確認した。
【００２３】
実験結果は、比較例では１５％の発生率で、本案は０％であった。したがって、本案では、ＰＳ版の分離不良発生を防止することができる。
【００２４】
【発明の効果】
以上説明したように、本発明に係る感光性平版印刷版の包装方法によれば、外装用の段ボールの外周に補強部材を設け、この補強部材からもフイルムの締め付けを感光性平版印刷版に加えるようにしたので、フイルムの締め付け力を感光性平版印刷版に効率よく加えることができ、よって積み重ねられた感光性平版印刷版のズレを防止することができる。
【００２５】
また、本発明は、感光性平版印刷版の外周に緩衝部材を配置して、この緩衝部材によって、感光性平版印刷版がズレようとする力を緩衝したので、感光性平版印刷版のズレを確実に防止することができる。
【図面の簡単な説明】
【図１】本実施の形態の包装方法で包装された積層ＰＳ版の縦断面図
【図２】本実施の形態の包装方法で包装された積層ＰＳ版の横断面図
【図３】積層ＰＳ版の外周に緩衝部材である段ボールを配置した説明図
【図４】積層ＰＳ版を遮光性包体で包装した説明図
【図５】遮光性包体で包装した積層ＰＳ版の外周に外装用段ボールと強化段ボールとを設けた説明図
【図６】強化段ボールを含む外装用段ボールの外周をストレッチフイルムで巻回した説明図
【図７】ストレッチフイルムで巻回したものに上蓋を取り付ける説明図
【図８】ストレッチフイルムの締め付け力を説明する模式図
【図９】積層ＰＳ版にズレ方向の力が作用した状態を説明する模式図
【符号の説明】
１０…ＰＳ版
１４…版台
１６…積層ＰＳ版
１８…段ボール（緩衝部材）
２０…クラフト紙（遮光性包体）
２４…外装用段ボール
２６…強化段ボール
３０…上蓋
【図１】
0003855136.tif 000002
【図２】
0003855136.tif 000003
【図３】
0003855136.tif 000004
【図４】
0003855136.tif 000005
【図５】
0003855136.tif 000006
【図６】
0003855136.tif 000007
【図７】
0003855136.tif 000008
【図８】
0003855136.tif 000009
【図９】
0003855136.tif 000010